Podtech/llm-jp-corpus-v4-ja_patent huggingface dataset:
(57)【要約】      （修正有） 【課題】通気性に優れ、好ましい皮膚との触感が得られるとともに、過敏症にかかるおそれもなく、かつ、引っ張り強度に優れた補正下着の生地を提供する。【解決手段】天然シルク層１０とシフォン層２０からなり、シフォン層の両端面をそれぞれ天然シルク層で覆い、綿質の糸で縦、横方向に交錯するように縫合して一体に形成してなる生地であって、生地の表面にやや突起した縫合線によって網状の格子を形成することを特徴とする補正下着の生地。【選択図】図１
0003105804.tif 000002
【実用新案登録請求の範囲】
【請求項１】
天然シルク層とシフォン層からなり、該シフォン層の両端面をそれぞれ天然シルク層で覆い、綿質の糸で縦、横方向に交錯するように縫合して一体に形成した構造の生地であって、該生地の表面にやや突起した縫合線によって網状の格子を形成することを特徴とする補正下着の生地。
【考案の詳細な説明】
【技術分野】
【０００１】
本考案は、補正下着に関し、特に補正下着の生地の改良構造に関する。
【背景技術】
【０００２】
補正下着に対する消費者の要求は、着心地が良いのみならず、吸汗性、吸収した汗の排出、及び通風性に優れるなどの基本的な要素以外に、ボディーラインを美しくするという効果が重要視されている。さらに、様式（外観）による付加的効果も消費者の求める重点の一つとなっている。よって、補正下着自体の効果と様式は、ますます重要になっている。
【０００３】
しかし、市販されている多くの補正下着の達成する効果は、いずれも似通ったものであり、唯縫製の方法と生地の織り方が若干異なる程度であるが、かかる部分は製造コストにも影響を与えるものであるので、業界では、より好ましい技術の開発がなされている。
【０００４】
従来の補正下着には、綿布、レース、もしくは混紡などの材質が用いられる。かかる補正下着は好ましい着心地が得られ、かつ女性のボディーラインを美しくする効果が得られる。しかし、綿布、混紡自身はいずれも弾性を具えるので容易に変形し、間接的にボディーラインを美しくするといった効果が明らかにならない。よって、使用者のニーズを十分満足させることができない。
【０００５】
また、ボディーラインを美しくするという要求についていえば、従来の補正下着は引っ張り強度が明らかに不足しているため、破損しやすいという欠点があった。
【０００６】
また、綿材は、皮膚に密着させると、吸水性に優れているが、汗を排出する速度が遅いという特性を有する。しかも、補正下着の上からさらに着衣するため吸熱効果が発生する。したがって、湿疹、腫れなどの過敏現象が容易に発生するおそれがある。
【考案の開示】
【考案が解決しようとする課題】
【０００７】
本考案は、通気性に優れ、好ましい皮膚との触感が得られるとともに、過敏症にかかるおそれもなく、かつ、引っ張り強度に優れた補正下着の生地を提供すること課題とする。
【課題を解決するための手段】
【０００８】
以下、本考案について具体的に説明する。
請求項１に記載する補正下着の生地は、天然シルク層とシフォン層によってなり、該シフォン層の両端面をそれぞれ天然シルク層で覆い、綿質の糸で縦、横方向に交錯するように縫合して一体に形成した構造の生地であって、該生地の表面にやや突起した縫合線によって網状の格子を形成させたものである。
【考案の効果】
【０００９】
本考案に係る補正下着は、通気性に優れ、好ましい皮膚との触感が得られるとともに、過敏症などの症状が発生することなく、かつ、引っ張り強度に優れるという利点がある。
【考案を実施するための最良の形態】
【００１０】
図１に開示するように、本考案による補正下着の生地は、天然のシルク層（１０）と、シフォン層（２０）とによって構成する。該シフォン層（２０）の両端面は天然のシルク層（１０）によって覆い、綿質の縫合線（３０）で縦、横方向に交錯するように縫合し一体にして生地（１）を構成する、
【００１１】
該生地（１）の表面には、図２に開示するように縫合線（３０）がやや突起して格子状を形成し、通気性と隔離作用を達成する。かかる構成によって本考案による補正下着の生地が得られる。
【００１２】
また、図３に開示するように、弾性に欠けるシルク層（１０）とシフォン層（２０）を基材とし、一体に縫合して引っ張り強度にすぐれた生地（１）の構造を得る、よって変形することなく、好ましい補正下着の効果が得られる。また、表面にやや突起した格子状の縫合線（３０）の作用によって、通風、通気効果が得られ、好ましい感触が得られる。この点において、本考案は、従来の技術に対して優れたものである。
【００１３】
ここで特に揚げるべき点は、従来の補正下着の生地は化学繊維を材質とすることから、皮膚に完全に接触し、かつ高温条件での化学的変化が容易に発生し、皮膚に傷害を与えて赤く腫れたり、過敏現象が発生したりすることがあった。また、完全に綿質の場合は熱くなりすぎる欠点がある。本考案においては天然の素材を使用し、かつ、皮膚と部分的に接触するため、皮膚の過敏症、赤く腫れるなどの症状を抑制することができる。
【００１４】
以上の説明は、本考案の好ましい実施例であって、本考案の実施の範囲を限定するものではない。よって、当業者のなし得る修正または変更であって、本考案の技術的思想の下においてなされ、本考案に対して均等の効果を有するものは、いずれも本考案の実用新案登録請求の範囲に属するものである。
【図面の簡単な説明】
【００１５】
【図１】本考案による補正下着の生地の分解図である。
【図２】図１に開示する生地の斜視図である。
【図３】本考案による生地を使用した補正下着の説明図である。
【符号の説明】
【００１６】
１    生地
１０  天然シルク層
２０  シフォン層
３０  縫合線
【図１】
0003105804.tif 000003
【図２】
0003105804.tif 000004
【図３】
0003105804.tif 000005
(57)【要約】【課題】  旅館などの宿泊施設で使われている座椅子の座板より、座布団がすべり出してしまうことを防止するシートを考案する。そしてその施しについては、現状の外観の変化を最小限にとどめ、軽重及び、座布団上からの違和感もないようにする【解決手段】  すべり止めシート１０はゴム系素材から成り、シート表面に細かい突起物１２を設け、裏面には粘着質１４を施す。また、本考案のすべり止めシートは、できるだけ少ないスペースで高効果を実現するために、シート面上の突起物１２を円筒形とし、かつ、すべり出し加重方向に反する側へ傾けることで、強いすべり止め効果を発揮させるものである。【選択図】  図２
0003105809.tif 000002
【実用新案登録請求の範囲】
【請求項１】
座椅子上での座布団のすべりを止めるシートであり、シートはゴム系素材から成り、表面に突起物を一定間隔に設け、裏面には粘着質を施したシート。
【請求項２】
すべり止めシートは、できるだけ薄く軽量で、少ないスペースで高効果を実現するために、シート面上の突起物を円筒形とし、且つ、加重方向に反する側へ傾けたシート。
【考案の詳細な説明】
【技術分野】
【０００１】  本考案は、宿泊施設などで使用されている座椅子で、座布団がすべることによる不快感を解消する為、座椅子上での座布団のすべりを防止する、すべり止めシートに関する。
【背景技術】
【０００２】  旅館などの宿泊施設で使われている座椅子の形状は、図１のように、一枚の合板により、座板２と背板３を形成している。座板２の上に座布団をのせたもので一つのセットとして使用するものである。【０００３】  宿泊施設では、収容される人数が多く、それに伴い座椅子の数も多いので、設営や清掃、収納のたびに持上げたりと大変なため薄型、軽量で座布団も別体式で，重ね積みができ、安価なものが主流である。【０００４】  座椅子の表面は通常、なめらかになっていて、ほとんどの座椅子は座板２のように、軽量化と一次すべり止めとして、中央部でくりぬいた形状となっている他はすべり止め材が施されていない。【０００５】  座椅子の主要目的は、座ったときに背もたれにもたれることにあり、座布団との組合せで成り立っているにもかかわらず、座布団が置かれる板の表面はすべりやすくなっていて、もたれると背もたれに対する反力で、座布団ごと前へすべり出してしまい、本来の背もたれ機能が半減してしまっているのが、現状である。【０００６】  従来の座椅子のすべりを改善する考案として（登録実用新案記載、登録第３０９９３９０号）は、座椅子にすべり止めマットを配する場合、水平板の表面に対して少なくとも６０％以上に設定するものである。【０００７】  座椅子の多くは、座板２のように、軽量化と一次すべり止めとして、中央部でくりぬいた形状となっている。したがって、（登録実用新案記載、登録第３０９９３９０号）の考案のように、座板面にすべり止め材を６０％以上に設定は出来ない。
【実用新案文献１】
登録実用新案記載、登録第３０９９３９０号
【考案の開示】
【考案が解決しようとする課題】
【０００８】  本考案は、旅館などの宿泊施設で使われている座椅子の座板部より、座布団がすべり出してしまうことを防止する。そしてその施しについては、現状の外観の変化を最小限にとどめ、軽重及び、座布団上からの違和感もないようにすることである。
【課題を解決するための手段】
【０００９】  本考案は、座椅子上での座布団のすべりを解決するための、すべり止めシートであり、シートはゴム系素材から成り、シート表面に細かい突起物１２を設け、裏面には粘着質１４を施す（請求項１）。また、本考案のすべり止めシートは、できるだけ少ないスペースで高効果を実現するために、シート面上の突起物１２を円筒形とし、かつ、すべり出し加重方向に反する側へ傾けることで、強いすべり止め効果を発揮させる（請求項２）。【００１０】  本考案の、すべり止めシート１０及び、シート面上の突起物１２は、ゴム系素材から成ることで、座布団の生地に対してキズを付けることなく摩擦効果を発揮する。【００１１】  すべり止めシート面上の突起物１２は、円筒形状にすることで、ゴム系特有の弾力性を保ちつつ、突起物上の断面積を確保し、さらに、座布団がすべり出す方向（加重方向）に反する側へ傾けることで、強いすべり止め効果を発揮させる。【００１２】  また、本考案の、すべり止めシート１０を座椅子に貼り付けた状態で、いくつか重ね積みをして収納したときの、過剰な荷重によるシート面上の突起物１２が、圧縮による変形を防ぐために、すべり止めシートの四隅に、突起物の高さまでの堤防を立ち上げて、上からの加重をそこで受けることで保護する。
【考案の効果】
【００１３】  本考案の、座椅子の座布団すべり止めシートを使うことにより、旅館などの宿泊施設で使われている、現状の座椅子の外観変化を最小限にとどめ、軽重及び、座布団上からの違和感なく、座ったときの座布団のずれを防止することができるため、今まで以上にリラックスが得られるものである。
【考案を実施するための最良の形態】
【実施例１】
【００１４】  本考案は、旅館などの宿泊施設で使われている座椅子に座ったときの座布団のズレを防止するものであり、かつ、現状の座椅子の外観変化を最小限にとどめ、軽重及び、座布団上からの違和感なく、座ったときの座布団のズレを防止することができるシートで、それを図面について説明すれば、図１、座椅子１の座板２上に、ゴム系素材から成るすべり止めシード１０を４枚一組を基本とし、最も上からの加重がかかる場所に、座布団がすべり出す方向（加重方向）に反する側へ、粘着質１４をもって貼り付ける。【００１５】  すべり止めシート１０は図２のように、基盤シート１１上に、直径５ミリ肉厚１ミリの円筒形状の突起１２を、等間隔、縦横１５ミリで、同一方向に３０度傾けて、高さ４ミリで配置する。【００１６】  また、座椅子をいくつか重ね積みをして収納したときの長期荷重により、突起１２が圧縮による変形を防ぐために、基盤シート１１上短部の四隅に、突起１２の高さまでのブロック１３を立ち上げることで、上からの加重をそこで受けて保護する。【００１７】  すべり止めシート１０本体の大きさは、通常、座椅子の多くは、軽量化と一次すべり止めとして、座板２のように、中央部分でくりぬいた形状となっているため、すべり止めを施すスペースが限られてくるので、縦横９０ミリまでにするのが望ましい。【００１８】  突起１２を、円筒形状にしたのは、ゴム系特有の弾力性を保ちつつ、突起物上の断面積（摩擦面）を確保するためである。【００１９】  さらに、強いすべり止め効果を発揮させるために、座布団がすべり出す方向（加重方向）に反する側へ３０度傾ける。
【図面の簡単な説明】
【００２０】
【図１】本考案の、すべり止めシートの実施方法を示した説明図である。
【図２】本考案の、すべり止めシートの全体詳細を示した説明図である。
【図３】本考案の、すべり止めシートの断面詳細を示した説明図である。
【符号の説明】
【００２１】１  座椅子
２  座板
３  背板
１０  すべり止めシート
１１  基盤シート
１２  突起
１３  ブロック
１４  粘着質
【図１】
0003105809.tif 000003
【図２】
0003105809.tif 000004
【図３】
0003105809.tif 000005
(57)【要約】      （修正有）【課題】日差しの強い夏の陽光、紫外線から顔や目、首を守り、眼鏡を掛けたまま紫外線から目を守ってくれるサンバイザー付き帽子を提供する。【解決手段】夏の帽子の鍔の前の部分に顔を覆うサンバイザーを取り付けて、なお、下からの反射光を防ぐ為にサンバイザーの先を屈折したものである。【選択図】図１
0003105808.tif 000002
【実用新案登録請求の範囲】
【請求項１】
日除け（通称サンバイザー）に頭、首筋の日除けを防ぐ帽子を付けて、サンバイザーを顔近く下ろした時、下から反射してくる光を遮断する様に鍔の先を首の方に曲げたサンバイザー付き帽子で有る。
【考案の詳細な説明】
【技術の分野】
【０００１】  本考案は帽子にサンバイザーを取り入れて、サンバイザーを下ろした時に下からの反射光を防ぐ様にしたサンバイザー付き帽子である
【０００２】  サンバイザーだけでは首が暑い。サンバイザー付き帽子と帽子の鍔だけでは下からの反射光が眩しいから、図２の部分を付ける。眼鏡を掛けている人にもサンバイザー付き帽子は紫外線から目を守ってくれる。
【考案の開示】
【考案が解決しようとする課題】
【０００３】  眼鏡をしている人もサングラスに変えないで紫外線を防げる。顔を紫外線から守り、下からの反射光も防ぐから目を守り、帽子の役目もしているので首も紫外線から守る。
【課題を解決する為の手段】
【０００４】  鍔のある帽子の前の部分の鍔を取り除き、取り除いた部分にサンバイザーを取り付け、サンバイザーの先に下からの反射を防ぐため屈折部分を作る。サンバイザーは鍔のやくめと顔を覆う役目が出来る様に上下動く様にする。
【考案の効果】
【０００５】  サンバイザー付き帽子を被って表に出ると、夏の日差しと紫外線から顔や目、首を守ってくれるので、眼鏡を掛けている人にもとてもいい。
【考案の実施する為の最良の形態】
【０００６】  夏に使うので軽くて通気性があり、折曲げても形態がもどり、帽子の部分とサンバイザーの部分は紫外線カットの共布であることが望ましい。が別でもいい。
【図面の簡単な説明】
【０００７】
【図１】本考案のサンバイザー付き帽子を人が被った図
【図２】サンバイザー付き帽子の横からの図−
【図３】サンバイザー付き帽子のサンバイザーの下からの図
【符号の説明】
【０００８】１  サンバイザー
２  サンバイザーの先の部分
３  帽子の鍔の部分
４  帽子のヘッド
【図１】
0003105808.tif 000003
【図２】
0003105808.tif 000004
【図３】
0003105808.tif 000005
(57)【要約】【課題】補助ベルトなどの付属品を必要とせず、足にしっかりと装着できる安価な足指カバーを提供する。【解決手段】足の甲よりも先端全体を包むように作られ且つ５つの指挿入部２〜６を備えるように足袋状に作られてなる足指カバー１であって、銀メッキが施された糸が足指カバー１内面に露出するように全体に亘って編み込まれてあり、５つの指挿入部２〜６の付け根部において指の付け根部に対し締め付け力が発生するように弾性糸７が挿入されている。【選択図】    図１
0003105840.tif 000002
【実用新案登録請求の範囲】
【請求項１】
足の甲よりも先端全体を包むように作られ且つ５つの指挿入部を備えるように足袋状に作られてなる足指カバーであって、銀メッキが施された糸が足指カバー内面に露出するように全体に亘って編み込まれてあり、５つの指挿入部の少なくとも１つの指挿入部の付け根部において指の付け根部に対し締め付け力が発生するように弾性糸が挿入されていることを特徴とする足指カバー。
【請求項２】
弾性糸が挿入されている指挿入部は親指挿入部および小指挿入部の何れかを含むことを特徴とする請求項１記載の足指カバー。
【考案の詳細な説明】
【技術分野】
【０００１】
本考案は、特に水虫の予防に効果のある足指カバーに関するものである。
【背景技術】
【０００２】
従来から水虫対策用の足指カバーとして、特許文献１に開示されているように、吸湿性および伸縮性を有する素材により形成され足指それぞれを別々に包み先端が開口している複数の筒状部と、各筒状部の基端側に接続され足指の根元周辺の足の表面を覆うカバー部とを具備してなる足指ソックスが知られており、この特許文献１に記載の足指ソックスにはこの足指ソックスを足にしっかりと装着するために足に巻回されカバー部に取り付けられる補助ベルトが設けられている。
【特許文献１】特開平１１−１３７５９７号公報
【考案の開示】
【考案が解決しようとする課題】
【０００３】
上記特許文献１に開示されている従来の足指ソックス（足指カバー）の構成では、足指ソックスを足にしっかりと装着するために足に巻回されカバー部に取り付けられる補助ベルトが設けられているが、カバー部に補助ベルトを取り付ける作業上の手間、材料費などの点でコスト高になるという問題があった。
【０００４】
本考案の目的は、このような課題を解決するものであり、補助ベルトなどの付属品を必要とせず、足にしっかりと装着できる安価な足指カバーを提供することにある。
【課題を解決するための手段】
【０００５】
本考案の請求項１に記載の足指カバーは、足の甲よりも先端全体を包むように作られ且つ５つの指挿入部を備えるように足袋状に作られてなる足指カバーであって、銀メッキが施された糸が足指カバー内面に露出するように全体に亘って編み込まれてあり、５つの指挿入部の少なくとも１つの指挿入部の付け根部において指の付け根部に対し締め付け力が発生するように弾性糸が挿入されていることを特徴とする。
【０００６】
請求項２に記載の足指カバーは、弾性糸が挿入されている指挿入部は親指挿入部および小指挿入部の何れかを含むことを特徴とする。
【考案の効果】
【０００７】
以上のように、本考案の足指カバーは、銀メッキが施された糸が足指カバー内面に露出するように全体に亘って編み込まれているので水虫の予防に効果があり、また５つの指挿入部の少なくとも１つの指挿入部の付け根部において指の付け根部に対し締め付け力が発生するように弾性糸が挿入されていることから、指挿入部が足の指先から脱げようとしても指の付け根部を締め付ける弾性糸によって脱げ外れ防止効果が発生し、足指カバーを足にしっかりと装着させることができる。
【考案を実施するための最良の形態】
【０００８】
以下、本考案の実施の形態を、図面に基づき説明する。
先ず、図１〜図２に示す第１の実施の形態について説明すると、１は丸編みにより編成された足指カバーで、この足指カバー１は足の甲よりも先端全体を包むように作られ、且つ５つの指挿入部２〜６を備えるように足袋状に作られている。この足指カバー１は水虫の予防に効果を発揮するように表面に銀メッキが施された糸でカバーリングされた糸が足指カバー１の内面に露出するように全体に亘って編み込まれている。そして、この表面に銀メッキが施された糸の使用量は全体の約１５％である。
【０００９】
ところで、５つの指挿入部２〜６の付け根部において指の付け根部に対し締め付け力が発生するように弾性糸７が挿入されている。
また、足指カバー１の足指し口となる開口部にも通常の靴下と同様に弾性糸８が挿入されている。
【００１０】
図２に足指カバー１を足９に装着した状態を示し、この足指カバー１は足指し口となる開口部に挿入された弾性糸８だけでは足９から脱げやすいという問題があるが、前述のように５つの指挿入部２〜６の付け根部において指の付け根部に対し締め付け力が発生するように弾性糸７が挿入されていることから指挿入部２〜６を指の付け根部に対し確実にフィットさせることができ、指挿入部２〜６が足９の指先から脱げようとしても指の付け根部を締め付ける弾性糸７によって脱げ外れ防止効果が発生し、足指カバー１を足９にしっかりと装着させることができる。
【００１１】
次に、図３に示す第２の実施の形態について説明すると、前記第１の実施の形態では足指カバー１の脱げ外れ防止効果を得るために５つの指挿入部２〜６の付け根部において指の付け根部に対し締め付け力が発生するように弾性糸７が挿入されているが、第２の実施の形態では５つの指挿入部２〜６の内、親指挿入部２および小指挿入部６の付け根部において親指および小指の付け根部に対し締め付け力が発生するように弾性糸７が挿入されている。
【００１２】
以上、２つの実施の形態について説明したが、前記５つの指挿入部２〜６に対する弾性糸７の挿入は５つの指挿入部２〜６の全て、あるいは親指挿入部２および小指挿入部６に限らず、例えば親指挿入部２、中指挿入部４、小指挿入部６の３本、あるいは親指挿入部２だけ、あるいは小指挿入部６だけというように適宜選択することができる。
【図面の簡単な説明】
【００１３】
【図１】本考案の第１の実施の形態における足指カバーの斜視図である。
【図２】同足指カバーを足に装着した状態を示す斜視図である。
【図３】本考案の第２の実施の形態における足指カバーの斜視図である。
【符号の説明】
【００１４】
１                    足指カバー
２，３，４，５，６    指挿入部
７，８                弾性糸
９                    足
【図１】
0003105840.tif 000003
【図２】
0003105840.tif 000004
【図３】
0003105840.tif 000005
(57)【要約】      （修正有）【課題】足の神経を介して、副交感神経を優位にする、極軽い接触使用形態で、免疫機能を強化し寝ながら随時に使用出来る用具を提供する。【解決手段】プラスチックや市販の塩ビパイプで製作した、脚先部の両端のＴ形自由継手が爪先等の不用意な力で外側に開放変形防止支材と固着構造で、是と一体の丸形状突起の、左右二個の間隔を自然体の足幅の近似値に構成する。【選択図】図１
0003105835.tif 000002
【実用新案登録請求の範囲】
【請求項１】
本案はプラスチックや市販の塩ビパイプで製作した、寝床で常時使用する保健用具に係わり、脚先部の両端のＴ形自由継手が爪先等の不用意な力で外側に開放変形防止支材と固着構造で、是と一体の丸形状突起の、左右二個の間隔を自然体の足幅の近似値に構成し、この突起と、自然体の形態の寝姿のままで、爪先を軽く接触する行為が、副交感神経を優位に血流を良好にして、極めて簡単で突起の察知と接触を模索する煩雑性が皆無の機構を特徴とする、寝床専用の保健用具。
【考案の詳細な説明】
【考案の詳細な説明】
【技術分野】
【０００１】  人が働き易い場合は、交感神経が優位な方が良く、健康の為には、副交感神軽の優位な体勢形態が良いとされている、とすれば病には闘病より、気楽にして副交感神経が優位な体勢形態が保健に好ましく、本案は爪先や土踏まずを介し、強い刺激を避けて、気楽な心地好い愛撫で、副交感神経を優位にして、免疫機能を活性化する事を目的とする保健用具で、寝床で随時次ぎの各項の保健目的に利用出来、長時間使用の為、Ｔ形自由継手のヒンジを固くして、簡単に不用意な力でα角を変形しない機構と是と一体にした突起を、自然体の歩幅に相当する間隔に左右に設け、且つ自然体の楽な形態で寝て使用する為、寝姿の爪先幅も突起幅と近似で、所在が極めて判り易く、不用意に爪先が当っても痛く無く、突起の構成で布団内の位置関係が、簡単明瞭に察知出来、煩わしさが無く楽に利用出来る。
１．自然体の歩幅に構成した突起に爪先を接触すれば、単に意識を野放しで黙想するより、心気を足に楽に自然に集中出来て、雑念が消え羊を数えるより眠り易く、α波が活性して、願望達成等のプラス思考もイメージし易くなる。
２．突起の接触で運動等による血行促進と異なり、心臓を刺激しないルートで血行を良くする為、気楽に寝ていても効果があるので、気楽な保健の効果がある。
３．足の土踏まず等のツボに突起で常時接触愛撫出来るので簡単に利用出来る。
【背景技術】
【０００２】  マッサージ等交感神経を優位にする用具が多く、寝乍ら自分で、爪先の力を軽く抜いて愛撫し、副交感神経を優位に血行を良好にする、専用具は見当らない。
【考案が解決しようとする課題】
【０００３】  足の神経を介して、副交感神経を優位にする、極軽い接触使用形態で、免疫機能を強化し寝ながら随時に使用出来る用具で、高齢者や寝たきりの患者に至便。
【課題を解決するための手段】
【０００４】  自然体の構想で、布団内の爪先と突起の所在が近似で判り易いから、僅かな足の移動で突起を察知接触し易く、使用上の煩雑さが無く、難しい使用法も不要。
【考案を実施するための最良の形態】
【０００５】（実施例）
脚先部の左右の突起と一体のＴ形自由継手の、角度を個人差に調整出来る様にして、且爪先等の不用意の力で、αが内側に変形しない様に固くし、尚脚先部下部両端に外側へ変形防止用の支材架構を設置し、本用具が万一内側に移動変形しても、本用具は極て簡単な構造の為、爪先で容易に用具の全容の察知が出来る。
（図１）
脚先部のＴ形自由継手と一体に構成した突起、    布団内の突起を察知するのに、Ｔ形自由継手と共に角度が移行するため、突起の位置や角度を推知し易い。
（図２）
【考案の効果】
【０００６】  布団内の爪先と突起を五分間位の接触で、足の裏から膝まで温感が移行する、
【図面の簡単な説明】本保健用具の基本図、正面図、平面図                            （図１）
Ｔ形自由継手と一体の左右の突起を、自然体の歩幅の長さＬに構成、（図２）
製作例（安定機構（Ｄ）が異例）正面図                  （図３）
Ｔ形自由継手が固く無い為、爪先等で形が崩れ変形した図（ＣＺ）  （図４）
【符号の説明】
（Ａ）  脚先部の架構
（Ｂ）  Ｔ形自由継手
（Ｃ）  Ｔ形自由継手と一体の左右の突起の連結構
（Ｄ）（Ｅ）脚先部の転倒防止用安定機構と、突起開放防止支材（Ｄ’）
（Ｚ）  左右の爪先で位置察知用の突起
（Ｌ）  自然体の近似歩幅
（α）  正常角
（α’）  変形角
【図１】
0003105835.tif 000003
【図２】
0003105835.tif 000004
【図３】
0003105835.tif 000005
【図４】
0003105835.tif 000006
(57)【要約】      （修正有）【課題】故人（ペットを含む）のゆかりの品等を骨壺に埋め込み、これにより、より一層亡くなった者を偲び易くし、併せて、守護石を骨壺に嵌め込む等のオリジナルの骨壷を求める消費者の要求に充分に応えることを目的とする。【解決手段】骨壺（上蓋を含む）に故人（ペットを含む）を偲ぶことができる物品を露出して埋め込んだことを特徴とする。【選択図】図２
0003105833.tif 000002
【実用新案登録請求の範囲】
【請求項１】
骨壺（上蓋を含む）に故人（ペットを含む）を偲ぶことができる物品を露出して埋め込んだことを特徴とする骨壺。
【請求項２】
骨壺に窪みを形成し、故人を偲ぶことができる物品を嵌め込み、セメント等にて固着する請求項１記載の骨壺。
【請求項３】
故人を偲ぶことができる物品が、守護石である請求項１記載の骨壺。
【請求項４】
故人を偲ぶことができる物品が、指輪等の装身具である請求項１記載の骨壺。
【考案の詳細な説明】
【技術分野】
【０００１】
本考案は新たな価値を有する骨壷に関するものである。
【背景技術】
【０００２】
従来の骨壷は、故人の俗名・戒名・命日等を骨壷（上蓋を含む）に書いたり、刻印したり、シールを貼ったりしていた。しかしながら、この方法ではその骨壷の中に誰の骨が入っているかを判別できるだけで、故人を思い出しその人を偲ぶことが難しい。
【０００３】
近年、オリジナル性が尊ばれているところ、生前に自分の骨壷を求める場合、自分だけの特別な骨壷を欲しがる者の要求に充分に応えることが難しい。
【０００４】
更に、現在ではペットを飼育することが広く行われているところ、これが死亡した際にはペットの墓を作ることが行われており、ペット独自の骨壺を求める人も多い。
【考案の開示】
【考案が解決しようとする課題】
【０００５】
本考案の課題は、故人（ペットを含む）のゆかりの品等を骨壺に埋め込み、これにより、より一層亡くなった者を偲び易くし、併せて、守護石を骨壺に嵌め込む等のオリジナルの骨壷を求める消費者の要求に充分に応えることを目的とするものである。
【課題を解決するための手段】
【０００６】
本考案の要旨は、骨壺（上蓋を含む）に故人（ペットを含む）を偲ぶことができる物品を露出して埋め込んだことを特徴とする骨壺であり、更に具体的には、骨壺に窪みを形成し、故人を偲ぶことができる物品を嵌め込み、セメント等にて固着する骨壺に係るものである。
【考案の効果】
【０００７】
本考案によれば、骨壷に故人を偲ぶ物品が嵌め込まれているため、故人を思い出し、偲ぶことが格段に容易になる。また、非常にオリジナリティに富んだ骨壷になるため、従来の骨壷と比べると、骨壷としての価値が向上することとなる。
【考案を実施するための最良の形態】
【０００８】
本考案は骨壺にわずかな工夫を凝らすだけで骨壺の価値が向上し、オリジナリティのあるものとなったものであり、故人の誕生石、故人をお守りする守護石等は勿論、生前に使用していた指輪等の身装品、更には他の愛用品も適用可能である。勿論骨壺を製造する際に上記物品を一緒に焼成することが可能ではあるが、一般には骨壺は既製品を用い、その所望の箇所に小さな窪みを設け、ここに当該物品を埋め込んでなるのがよい。
【実施例】
【０００９】
以下、図面をもって本考案を更に詳細に説明する。
図１は骨壺１の正面にペンダント２Ａを埋め込んだ第１実施例であり、図２はその主要部の断面図である。骨壺１は既製品であって、これに小さな窪み３を形成する。次いで、ペンダント２Ａを所望の方向に向け、この例ではペンダント２Ａの正面を骨壺１より露出させ、その周囲をセメント４をもって埋め合わせたものである。
【００１０】
図３は骨壺の上蓋５の中央に指輪２Ｂを埋め込んだ第２実施例であり、図４はその主要部の断面である。上蓋５はこれまた既製品であって、中央に小さな窪み３を形成する。次いで、指輪２Ｂの正面を上向きにして大部分を露出させ、その周囲をセメント４にて埋め合わせたものである。
【産業上の利用可能性】
【００１１】
本考案は以上の通りであり、新たな骨壺を提供するものであって、世人の要請を満足するものであり、人における骨壺は勿論のこと、ペットの骨壺にあっても利用可能でありその用途は広い。
【図面の簡単な説明】
【００１２】
【図１】図１は骨壺の正面に指輪を埋め込んだ第１実施例である。
【図２】図２は図１の主要部の断面図である。
【図３】図３は骨壺の正面に指輪を埋め込んだ第２実施例である。
【図４】図４は図３の主要部の断面図である。
【符号の説明】
【００１３】
１‥骨壺、
２Ａ‥ペンダント、
２Ｂ‥指輪、
３‥窪み、
４‥セメント、
５‥上蓋。
【図１】
0003105833.tif 000003
【図２】
0003105833.tif 000004
【図３】
0003105833.tif 000005
【図４】
0003105833.tif 000006
【手続補正書】
【提出日】平成16年7月27日(2004.7.27)
【手続補正１】
【補正対象書類名】実用新案登録請求の範囲
【補正対象項目名】請求項１
【補正方法】変更
【補正の内容】
【請求項１】
骨壺に故人を偲ぶことができる物品を露出して埋め込んだことを特徴とする骨壺。
【手続補正２】
【補正対象書類名】明細書
【補正対象項目名】０００２
【補正方法】変更
【補正の内容】
【０００２】
従来の骨壷（上蓋を含む）は、故人（ペットを含む）の俗名・戒名・命日等を骨壷に書いたり、刻印したり、シールを貼ったりしていた。しかしながら、この方法ではその骨壷の中に誰の骨が入っているかを判別できるだけで、故人を思い出しその人を偲ぶことが難しい。
【手続補正３】
【補正対象書類名】明細書
【補正対象項目名】０００５
【補正方法】変更
【補正の内容】
【０００５】
本考案の課題は、故人のゆかりの品等を骨壺に埋め込み、これにより、より一層亡くなった者を偲び易くし、併せて、守護石を骨壺に嵌め込む等のオリジナルの骨壷を求める消費者の要求に充分に応えることを目的とするものである。
【手続補正４】
【補正対象書類名】明細書
【補正対象項目名】００１１
【補正方法】変更
【補正の内容】
【００１１】
本考案は以上の通りであり、新たな骨壺（上蓋を含む）を提供するものであって、世人の要請を満足するものであり、人における骨壺は勿論のこと、ペットの骨壺にあっても利用可能でありその用途は広い。
(57)【要約】      （修正有）【課題】少ない部材で構成することができ、高い通気性とクッション性を発揮すると共に、使用時において上下及び水平方向の移動ができ、心地よい浮遊感を実感することができる枕の内部構造体を提供すること。【解決手段】枕の内部構造体１は、側面部に配設された一対の支持体３と、該支持体３間に連結された一対の連結材４とで構成される本体部２と、前記支持体３間に跨設された伸縮材５とを備えることを特徴とする。また、前記伸縮材５はコイルスプリング６である。前記伸縮材５を弾性ゴムにより形成してもよい。【選択図】図１
0003105870.tif 000002
【実用新案登録請求の範囲】
【請求項１】
側面部に配設された一対の支持体と、該支持体間に連結された一対の連結材とで構成される本体部と、前記支持体間に跨設された伸縮材とを備えることを特徴とする枕の内部構造体。
【請求項２】
前記伸縮材がコイルスプリングである請求項１記載の枕の内部構造体。
【請求項３】
前記伸縮材を弾性ゴムにより形成した請求項１記載の枕の内部構造体。
【考案の詳細な説明】
【技術分野】
【０００１】
本考案は、枕の内部構造体に関し、特には通気性とクッション性を有すると共に、使用時において心地よい浮遊感を付与することができる枕の内部構造体に関する。
【背景技術】
【０００２】
従来、良好な通気性を備えて理想的な温度を維持でき、長期間使用しても型崩れせず、快適な睡眠を確保することができるクッション素材とそれを用いた枕及びその製造方法がある（例えば特許文献１参照）。
上掲特許文献１には、径方向に整列した多数個のスプリングを通気性のある二枚の布材で挟み込んで、各スプリングを個々に独立包皮した状態で両布材の重合部位を接着した長尺な帯状部材を蛇行状に折り重ねて、その折り重ねにより帯状部材の接触する部位を接着することにより所定の平面形状を有するクッション素材と、そのクッション素材を収納した通気性のある内袋体と、その内袋体をその周囲に充填材を配した状態で収納した外袋体とで構成される。そのため、通気性が良好となり、理想的な温度と湿度を維持でき、型崩れが生じないことを特徴としている。
【特許文献１】特開平１１−２０６５１７号公報（第１−２頁、図１、図２）
【考案の開示】
【考案が解決しようとする課題】
【０００３】
しかし、前記構造においては、製造が複雑になりコスト高になるという問題があった。また、スプリングが径方向に整列されているので、上下のクッション性は得られても、水平方向の浮遊感を得るまでには至らなかった。
【０００４】
そこで本考案は上記の点に鑑み、少ない部材で構成することができ、高い通気性とクッション性を発揮すると共に、使用時において上下及び水平方向の移動ができ、心地よい浮遊感を実感することができる枕の内部構造体を提供することにある。
【課題を解決するための手段】
【０００５】
上記課題を解決するために本考案の枕の内部構造体は、側面部に配設された一対の支持体と、該支持体間に連結された一対の連結材とで構成される本体部と、前記支持体間に跨設された伸縮材とを備えることを特徴とする。前記伸縮材はコイルスプリングからなるものでもよいし、伸縮材を有する弾性ゴムにより形成してもよい。
【考案の効果】
【０００６】
本考案の枕の内部構造体は、側面部に配設された一対の支持体と、該支持体間に連結された一対の連結材とで構成される本体部と、前記支持体間に跨設された伸縮材とを備えることにより、優れた通気性が得られて快適な安眠が実現される。また、支持体間に、コイルスプリング、または弾性ゴムからなる伸縮材を跨設することにより、使用時において頭部の上下及び水平方向（前後方向）の移動が容易にでき、クッション性と浮遊感を実感することができる。
【考案を実施するための最良の形態】
【０００７】
以下、本考案における枕の内部構造体の好適な一実施の形態を図面に基づいて説明する。
図１に示す内部構造体１は、枕１０の内部に配設されるもので、側面部に配設された一対の支持体３、３´と、支持体３、３´間に連結された一対の連結材４、４´とで構成される本体部２と、支持体３、３´間に跨設された伸縮材５とを備えることを特徴とする。また、図２に示すように、枕として使用される場合、内部構造体１はその周囲に発泡ウレタン等の素材からなる肉厚の緩衝材１２により被覆され、さらにその周囲は通気性の高いカバー材１３により被覆される。
【０００８】
支持体３、３´は、枕１０の両側面に配設されるもので、中空状の金属パイプをコ字形状態に屈曲して形成される。この支持体３、３´は、適宜間隔、例えば、３５〜４５ｃｍを有する状態で連結材４にて連結されていることが好ましい。
【０００９】
支持体３、３´間には、伸縮性及び弾力性を有する伸縮材５が複数跨設されている。かかる伸縮材５は、図１及び図２に示すように、汎用のコイルスプリング６を使用することが好ましく、好適には、支持体３、３´に設置された接続具７を介して支持体３、３´の上部に二本、側面部分に一本ずつ跨設される。支持体３、３´間に伸縮材５を設けることで、図５に示すように、頭部を載置した際、伸縮材５が上下動すると共に、水平方向（前後方向）にも容易に移行することができ、高いクッション性と浮遊感を実感することができる。また、内部構造体１特有の高い通気性が得られて快適な安眠が実現される。
【００１０】
本考案の内部構造体の他の好適例として、図３に示すように、伸縮材５を弾性ゴム８により形成してもよい。かかる弾性ゴム８は、使用の際、載置した頭部が適宜幅で上下動され、さらに水平方向の移動にも耐えられる強度を有するものが好ましい。なお、支持体３、３´間に跨設される伸縮材５は、図中四本記載されているが、跨設する本数は特に限定されるものではい。
【００１１】
また、本考案の内部構造体の他の好適例として、図４に示すように、支持体３、３´をく字形状とし、かかる支持体３、３´を連結材４、４´にて連結すると共に、支持体３、３´間に複数の伸縮材５を跨設することが好ましい。それにより、図６に示すように、腰部の下に配設する腰枕１１として使用することもできる。
【図面の簡単な説明】
【００１２】
【図１】本考案における枕の内部構造体の全体斜視図である。
【図２】前記内部構造体を配設した枕の一部切欠状態である。
【図３】本考案の枕の内部構造体の他の好適例を示す全体斜視図である。
【図４】本考案の枕の内部構造体の他の好適例である腰枕の内部構造体の斜視図である。
【図５】枕としての使用状態を示す側面図である。
【図６】腰枕としての使用状態を示す側面図である。
【符号の説明】
【００１３】
１  内部構造体
２  本体部
３  支持体
４  連結材
５  伸縮材
６  コイルスプリング
７  接続具
８  弾性ゴム
１０  枕
１１  腰枕
１２  緩衝材
１３  カバー材
【図１】
0003105870.tif 000003
【図２】
0003105870.tif 000004
【図３】
0003105870.tif 000005
【図４】
0003105870.tif 000006
【図５】
0003105870.tif 000007
【図６】
0003105870.tif 000008
(57)【要約】      （修正有）【課題】密閉性の高い靴の中は特に高温多湿時において長時間履く時には蒸れを生じやすく悪臭や水虫等に発展してしまうことから衛生的にも健康的にも好ましくなく、靴内部の空気環境を改善したシンプルでしかも安価である靴の中敷を提供することにある。【解決手段】板１に空気出口４を設け板２には空気入口３を設け更に開閉弁６を設け板１と板２との間には板スプリング５を設け板２の内側に固定し板１と板２との合わせ面の外周部を適当な幅に接着剤を塗布しその上からミシン掛けして構成した。【選択図】図１
0003105862.tif 000002
【実用新案登録請求の範囲】
【請求項１】
板１には少なくとも１ケ以上の空気出口４を設け板２には少なくとも１ケ以上の空気入口３を設け、板１と板２との間には弾性体５を設け板１と板２とを接合したことを特徴とする靴の中敷。
【請求項２】
請求項１に空気入口３に適合する開閉弁６を設けたことを特徴とする靴の中敷。
【考案の詳細な説明】
【考案の詳細な説明】
【技術分野】
【０００１】本考案は革靴やゴム靴、安全靴等長時間靴を履いた時に発生しやすい悪臭、水虫を新鮮な空気を強制的に靴の中へ送り込むことによってそれらを防止するようにした靴の中敷に関するものである。
【背景技術】
【０００２】従来の靴の中敷は、１枚のシート状の物から数枚重ね合わせて脱臭効果のある脱臭剤入りの物、製品単体では通気姓のあるもの等が市販されている。
【考案が解決しようとする課題】
【０００３】従来の靴内部は空気の流れが極めて悪く足から発汗する汗が悪臭となり最悪時には水虫に発展する等の欠点があった。
【０００４】そこで本考案は、構造が簡単で強制的に靴内部に新鮮な空気を送り込むことのできるポンプ機能を持たせ、悪臭や水虫を防止する靴の中敷を提供することを目的としている。
【課題を解決するための手段】
【０００５】上記目的を達成するため、板１に空気出口４板２に空気入口３を設け板１板２との間には板スプリング５を設け、板１の内面に板スプリング５を取り付け固定し、板１と板２を適合するよう合わせその外周部の適当な幅を空気漏れ無きよう接合し、空気入口３に適合するよう開閉弁６を設けた。
【考案を実施するための最良の形態】
【０００６】実施例についで図面を参照して説明すると、図２において板１に空気出口４を１ケ設けた実施例で左足の小指周辺に集中的に新鮮空気を送り込ませた実施例である。【０００７】特に靴の内部先端部は空気の流れが悪く空気環境が悪くなりがちのため悪臭や水虫が発生しやすい部位である。【０００８】板２には空気入口３を設け密封性を高めるため開閉弁６を取り付け、歩行時に生じる靴と足との若干の上下クリアランスを利用、かかとが上昇した時に新鮮空気を吸い込み下降時開閉弁６が閉じ空気室７に吸い込まれた新鮮空気が圧縮され空気出口４から吹き出すことができるよう構成した。【０００９】歩行時１歩に１回の圧縮された新鮮空気が連続的にしかも強制的に供給できるよう構成した。
【考案の効果】
【００１０】本考案は以上説明したように構成されているので以下に記載されるような効果が生じる。
【００１１】本考案の靴の中敷を用いることによって、歩行中には強制的かつ連続的に新鮮な空気を靴内部に送り込むことができるため、靴の中が蒸れることもなく悪臭や水虫を防止する効果がある。
【００１２】特にゴム靴や、安全靴を長時間毎日のように履き続けると悪臭や水虫になり易いため、密閉性の高い靴ほど効果があり又高温多湿時には足からの発汗量も多く更に大きな効果がある。
【００１３】一方靴が着地する際、空気室の新鮮空気が圧縮され空気室の圧力が上昇し下降する力に対しショックアブ効果が発生する。
【図面の簡単な説明】
【図１】  請求項１の平面図とＡ−ＡＡ断面図を表す。
【図２】  請求項２の平面図とＢ−ＢＢ断面図を表す。
【符号の説明】
１        板              ６        開閉弁
２        板              ７        空気室
３        空気入口        ８        ミシン
４        空気出口        ９        接着剤
５        仮スプリング
【図１】
0003105862.tif 000003
【図２】
0003105862.tif 000004
(57)【要約】【課題】丸鋸のスリット内に充填した樹脂の有無が識別でき、充填の良し悪しを容易に判断できる技術を提供する。【解決手段】円板状の台金の外周に沿って多数の歯部を設け、該台金の任意個所にスリットを複数形成し、該スリットの一部または全部に樹脂を充填した丸鋸において、前記樹脂は架橋硬化後に弾性を有し、白黒系以外の色を有する樹脂であり、また、前記色を有する樹脂は架橋硬化前の樹脂に染料を混入して色を付けたものである。【選択図】図１
0003105869.tif 000002
【実用新案登録請求の範囲】
【請求項１】
円板状の台金(2)の外周に沿って多数の歯部(3)を設け、該台金(2)の任意個所にスリット(4)を複数形成し、該スリットの一部または全部に樹脂(5)を充填した丸鋸(1)において、
前記樹脂(5)は架橋硬化後に弾性を有し、白黒系以外の色を有する樹脂であることを特徴とする丸鋸。
【請求項２】
前記色を有する樹脂は、架橋硬化前の樹脂に染料を混入して色を付けた請求項１に記載の丸鋸。
【考案の詳細な説明】
【技術分野】
【０００１】
本考案は、木材や鋼材等を切断するのに用いられる丸鋸に関するものである。
【背景技術】
【０００２】
従来の技術として、実公平６−２０５６２号公報に開示のものがある。この技術は、回転鋸の基板に形成されたスリット内に常温で粘性を有する軟質資材からなる粘性材料を充填して、騒音を防止するものである。
【特許文献１】実公平６−２０５６２号公報
【考案の開示】
【考案が解決しようとする課題】
【０００３】
上記したものは、スリット内の粘性材料が回転鋸の振動を減衰し、騒音を防止する技術であるが、スリット内に粘性材料が充填されていることが肉眼視で容易に識別できず、充填の良し悪しの判断に支障があった。本考案はスリット内に充填した樹脂の有無が識別でき、充填の良し悪しを容易に判断できる技術を提供することを課題とする。
【課題を解決するための手段】
【０００４】
前述した課題をするため本考案は、以下の手段を講じる。
すなわち、円板状の台金の外周に沿って多数の歯部を設け、該台金の任意個所にスリットを複数形成し、該スリットの一部または全部に樹脂を充填した丸鋸において、前記樹脂は架橋硬化後は弾性を有する白黒系以外の色を有する樹脂とする。また、前記色を有する樹脂は、架橋硬化前の樹脂に染料を混入して色を付けたものであるとする。
【考案の効果】
【０００５】
色を有する樹脂を架橋硬化前にスリット内に充填するが、充填状態の良し悪しを樹脂の色を頼りに判断でき、未充填個所がある場合には速やかに補充することができる。また、染料を選択することで任意の色を設定でき、充填状態の判断が更に容易な色とすることができる。
【考案を実施するための最良の形態】
【０００６】
次に、本考案に係る丸鋸につき、好適な実施例を挙げて、添付図面を参照しながら以下説明する。
【０００７】
丸鋸1は、図1に示したごとく、円板状の鋼製台金２の外周に沿って多数の歯部３が設けられている。前記丸鋸１には前記台金２の任意個所にレーザー加工などによりスリット４を複数形成しておく。一方、合成ゴムや合成接着剤などの未架橋硬化状態の樹脂に鮮やかな色を発する染料を混入して充填用樹脂として準備する。
【０００８】
次に、前記充填用樹脂を前記スリットに順じ充填し、充填後直ちに充填状態の良し悪しを点検する。樹脂５には色が付けてあるので充填が不十分であれば容易に判別でき、この充填が不十分な個所にはさらに樹脂が補充される。この工程後、樹脂５はスリット４内で架橋硬化し、樹脂が充填された丸鋸１となる。
【図面の簡単な説明】
【０００９】
【図１】丸鋸の側面図である。
【符号の説明】
【００１０】
１ 丸鋸
２ 台金
３ 歯部
４ スリット
５ 樹脂
【図１】
0003105869.tif 000003
(57)【要約】      （修正有）【課題】親骨を短くして、扇子面全体のデザインを広く見ることが可能な扇子を提供する。【解決手段】扇面端部６の内面部５に長い中骨３を入れて、外側に短い親骨２を設ける。【選択図】図３
0003105861.tif 000002
【実用新案登録請求の範囲】
【請求項１】
扇面端部（６）の内面部（５）に中骨（３）を設け、その中骨（３）は、扇面端部（６）外側の親骨（２）より長いことを特徴とする扇子。
【考案の詳細な説明】
【技術分野】
【０００１】  本考案は、扇面（１）のデザインを広く見ることができる扇子に関するものである。
【背景技術】
【０００２】  従来、扇子の親骨（２）は左右の端に設けられ、その親骨は（２）扇面（１）の天井部（４）と同じ長さのため、扇面全体の左右端のデザインは、その親骨（２）によって分断されていた。
【考案の開示】
【考案が解決しようとする課題】
【０００３】  解決しようとする問題点は、左右の親骨（２）を短くしてデザインを見やすくすることであるが、そうすると親骨（２）のない上部の扇面（１）が開いたり折れ曲がったりする欠点がある。
【考案を解決するための手段】
【０００４】  そのため本考案は、従来中骨（３）を設けていなかった扇面端部（６）の内面部（５）に中骨（３）を入れて、外側に親骨（２）を短く設けたことで解決するに至った。
その扇面端部（６）の内面部（５）に入れた中骨（３）は、長いほど好ましい。
【考案の効果】
【０００５】  親骨（２）が短いためデザイン全体を見ることができ、扇面（１）が開いたり折れ曲がったりしない扇子としての効果があるため、各装飾用・舞台用として応用ができる。
【考案を実施するための最良の形態】
【０００６】  扇面端部（６）の内面部（５）に中骨（３）を設け、その中骨（３）は、扇面端部（６）外側の親骨（２）より長くすることで実現した。
【実施例】
【０００７】  図１は、本発明の外観から見た扇面（１）を開いた全体図であり、図４の従来の扇面（１）から見ると左右端の親骨（２）が短いため扇面全体のデザインを広く見ることができる。【０００８】  図２は、従来設けていなかった扇面両端に親骨（２）より長い中骨（３）を設けた、要軸（７）を中心とした骨組の全体図で、左右端は外側の親骨（２）と内面部（５）に設けた中骨（３）が重なった状態での構成である。
また、図２の右側の端は、親骨（２）の背面に中骨（３）の長い部分が重なり、また、図２の左側の端は長い中骨（３）が表面となり、短い親骨（２）が背面となって重なっている。【０００９】  図３は、図１の全体図の扇子面端部（６）を部分拡大し、内面部（５）に中骨（３）を入れた状態を点線で扇面（１）の天井部（４）まで入れたことを示し、親骨（２）のない扇子上部の横折れを防止している。図４と比較すると、親骨（２）が短く内部の中骨（３）が長いことがわかる。
【産業上の利用可能性】
【００１０】  デザイン全体を見ることができる装飾扇子として飾ることができ、また、舞台用の激しい動きで使用しても横折れすることなく、デザイン全体を見ることができる扇子として適用できる。
【図面の簡単な説明】
【００１１】
【図１】本発明にかかわる扇子外観の全体図である。
【図２】本発明にかかわる親骨と中骨の骨組全体図である。
【図３】本発明にかかわる中骨を入れた状態を点線で示した部分拡大図である。
【図４】従来の扇子の部分拡大図である。
【符号の説明】
【００１２】１  扇面
２  親骨
３  中骨
４  天井部
５  内面部
６  扇面端部
７  要軸
【図１】
0003105861.tif 000003
【図２】
0003105861.tif 000004
【図３】
0003105861.tif 000005
【図４】
0003105861.tif 000006
(57)【要約】【課題】    パン等に焼き目を入れる際、従来のものは手軽さに欠け種類も乏しくまた嵩張る専用機器を購入しなければならなかった。  また、最近は多機能オーブントースターの普及により、専用機器の販売自体が減少している為、焼き目を楽しむ機会がなくなっている。【解決手段】食材の上に乗せるだけで様々な好みの焼き目を入れ、手軽に楽しめるよう焼き目を入れる事を目的として、平面状のアルミやステンレス、鉄などの金属板を動物や植物、マークや文字等様々な形状に型抜きにする。本体はプレート状なので嵩張ることがない。【選択図】図１
0003105845.tif 000002
【実用新案登録請求の範囲】
【請求項１】
平面状のアルミやステンレス、鉄などの金属板を，食材に焼き目を入れる事を目的として動物や植物、マークや文字等の様々な形状と型抜きしたことを特徴とする簡易式焼き目入れプレート。
【考案の詳細な説明】
【技術分野】
【０００１】
この考案は、パン等を焼く際、食材の上に乗せるだけで、動物や植物、マークや文字等様々な焼き目を入れることのできる簡易式プレートに関する。
【背景技術】
【０００２】
従来の、食材に焼き目を入れる事を目的としたものは器機内部にプレートが組み込まれたものである。
【考案の開示】
【考案が解決しようとする課題】
【０００３】
従来のものは手軽さにかけ、種類も乏しく嵩張る専用機器の購入を要した。
また、最近は多機能オーブントースターの普及により、専用機器の販売自体が減少している為、焼き目を楽しむ機会がなくなってしまっている。
そこでこの考案は、種類も豊富でかつ値段も求めやすく，嵩張らずに手軽さと楽しみを提供することを課題とする。
【課題を解決するための手段】
【０００４】
以上の課題を解決するために、食材に焼き目を入れることを目的として平面状のアルミやステンレス、鉄などの金属板を様々な形状にし、型抜きしたことを特徴とする。
【考案の効果】
【０００５】
この考案によれば， 数種類の型のものを低価格で購入でき，使い勝手も手軽で嵩張らず，好みの焼き目を簡単に入れ楽しむことができる。
【考案を実施するための最良の形態】
【０００６】
この考案の一実施形態を、図１に示す。
平面状の本体はアルミやステンレス、鉄などの金属板を加工し，動物や植物、マーク、文字等の型抜きがされている。
【実施例１】
【０００７】
この実施形態によれば、食材上にプレートを置きレンジ等で熱を加えれば顔の形状と型抜き通り、焼き目を入れることができる。
【実施例２】
【０００８】
図１の実施形態では、一例として形状や型抜きを顔にしてあるが、他の実施形態では動物型や植物型、マークや文字等でも良い。
【図面の簡単な説明】
【０００９】
【図１】この考案の一実施形態を示す平面図である。
【符号の説明】
【００１０】
１  顔に形状型抜きされたアルミ、ステンレス、鉄などの金属プレート        
【図１】
0003105845.tif 000003